(57)【特許請求の範囲】
【請求項１】
撮像装置本体に着脱自在に装着され、被写体からの光を結像させるためのレンズユニットと、
前記撮像装置本体内に配置され、前記レンズユニットにより結像された被写体像を光電変換して画像信号を生成する撮像手段と、
該撮像手段で撮像した画像を表示する表示手段と、
前記撮像手段で撮像した画像を記憶する記憶手段と、
前記レンズユニットと前記撮像装置本体との着脱状態を検知する検知手段と、
該検知手段により前記レンズユニットが前記撮像装置本体から取り外されたことを検知した場合に、前記表示手段の表示状態を、前記撮像手段で撮像した画像を表示している状態から前記記憶手段から読み出した画像を表示する表示状態に切り替える制御手段とを具備することを特徴とする撮像装置。
【請求項２】
撮像装置本体に着脱自在に装着され、被写体からの光を結像させるためのレンズユニットと、
前記撮像装置本体内に配置され、前記レンズユニットにより結像された被写体像を光電変換して画像信号を生成する撮像手段と、
該撮像手段で撮像した画像を表示する表示手段と、
前記撮像手段で撮像した画像を記憶する記憶手段と、
前記レンズユニットの前記撮像装置本体に対する着脱を指示する着脱指示手段と、
該着脱指示手段により、前記レンズユニットを前記撮像装置本体から取り外す指示が出された場合に、直前に前記撮像手段で撮像した画像を前記記憶手段に記憶した後、該記憶手段から読み出した画像を前記表示手段で表示する制御手段とを具備することを特徴とする撮像装置。
【請求項３】
撮像装置本体に着脱自在に装着され、被写体からの光を結像させるためのレンズユニットと、
前記撮像装置本体内に配置され、前記レンズユニットにより結像された被写体像を光電変換して画像信号を生成する撮像手段と、
該撮像手段で撮像した画像を表示する表示手段と、
前記撮像手段で撮像した画像を記憶する記憶手段と、
前記レンズユニットの前記撮像装置本体に対する着脱を指示する着脱指示手段と、
該着脱指示手段により、前記レンズユニットを前記撮像装置本体から取り外す指示が出された場合に、前記表示手段の表示状態を、前記撮像手段で撮像した画像を表示している状態から前記記憶手段から読み出した画像を表示する表示状態に切り替える制御手段とを具備することを特徴とする撮像装置。
【請求項４】
撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットと前記撮像装置本体との着脱状態を検知する検知手段とを具備する撮像装置を制御するための撮像装置の制御方法であって、
前記検知手段により前記レンズユニットが前記撮像装置本体から取り外されたことを検知した場合に、前記表示手段の表示状態を、前記撮像手段で撮像した画像を表示している状態から前記記憶手段から読み出した画像を表示する表示状態に切り替えることを特徴とする撮像装置の制御方法。
【請求項５】
撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットの前記撮像装置本体に対する着脱を指示する着脱指示手段とを具備する撮像装置を制御するための撮像装置の制御方法であって、
前記着脱指示手段により、前記レンズユニットを前記撮像装置本体から取り外す指示が出された場合に、直前に前記撮像手段で撮像した画像を前記記憶手段に記憶した後、該記憶手段から読み出した画像を前記表示手段で表示することを特徴とする撮像装置の制御方法。
【請求項６】
撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットの前記撮像装置本体に対する着脱を指示する着脱指示手段とを具備する撮像装置を制御するための撮像装置の制御方法であって、
前記着脱指示手段により、前記レンズユニットを前記撮像装置本体から取り外す指示が出された場合に、前記表示手段の表示状態を、前記撮像手段で撮像した画像を表示している状態から前記記憶手段から読み出した画像を表示する表示状態に切り替えることを特徴とする撮像装置の制御方法。
【発明の詳細な説明】
【０００１】
【発明の属する技術分野】
本発明は、静止画像や動画像を撮像する撮像装置及びその制御方法に関するものである。
【０００２】
【従来の技術】
従来より、固体メモリ素子を有するメモリカードを記録媒体として、静止画像や動画像を記録再生する電子カメラ等の画像処理装置は市販されており、カラー液晶パネル等の電子ファインダーを備える電子カメラも販売されている。
【０００３】
これらの電子カメラによれば、撮影前の画像を連続して表示して電子カメラの使用者が構図を決定することや、撮影した画像を再生表示して確認することが可能である。
【０００４】
特に、レンズ交換が可能な電子カメラにおいては、撮影目的に合わせてレンズを選択し、選択したレンズに応じて、これから撮影しようとする画像を連続して表示して電子カメラの使用者が構図を決定することや、撮影した画像を再生表示して確認することが可能となり、電子カメラの使用者にとって有益な機能となっている。
【０００５】
【発明が解決しようとする課題】
このような従来の電子カメラ等の画像処理装置においては、撮影操作中に交換レンズが外された場合でも、これから撮影しようとする画像を連続して撮像して表示していた。
【０００６】
このため、レンズを通さずに撮像素子に直接入射した外光等の不要な光線を、カラー液晶パネル等の電子ファインダーに連続して表示してしまうという問題があった。
【０００７】
また、撮影中に交換レンズが外された状態で撮影した画像を再生表示した場合、レンズを通さずに撮像素子に直接入射した外光等の不要な光線を撮影した画像を、カラー液晶パネル等の電子ファインダーに再生表示してしまうという問題があった。
【０００８】
従って、本発明は上述した課題に鑑みてなされたものであり、その目的は、撮影中にレンズが外された場合でも不要な光線を撮影した画像を表示部に表示することのない撮像装置及びその制御方法及び記憶媒体を提供することである。
【００１１】
【課題を解決するための手段】
上述した課題を解決し、目的を達成するために、本発明に係わる撮像装置は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットと前記撮像装置本体との着脱状態を検知する検知手段と、該検知手段により前記レンズユニットが前記撮像装置本体から取り外されたことを検知した場合に、前記表示手段の表示状態を、前記撮像手段で撮像した画像を表示している状態から前記記憶手段から読み出した画像を表示する表示状態に切り替える制御手段とを具備することを特徴としている。
【００１４】
また、本発明に係わる撮像装置は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットの前記撮像装置本体に対する着脱を指示する着脱指示手段と、該着脱指示手段により、前記レンズユニットを前記撮像装置本体から取り外す指示が出された場合に、直前に前記撮像手段で撮像した画像を前記記憶手段に記憶した後、該記憶手段から読み出した画像を前記表示手段で表示する制御手段とを具備することを特徴としている。
【００１５】
また、本発明に係わる撮像装置は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットの前記撮像装置本体に対する着脱を指示する着脱指示手段と、該着脱指示手段により、前記レンズユニットを前記撮像装置本体から取り外す指示が出された場合に、前記表示手段の表示状態を、前記撮像手段で撮像した画像を表示している状態から前記記憶手段から読み出した画像を表示する表示状態に切り替える制御手段とを具備することを特徴としている。
【００２０】
また、本発明に係わる撮像装置の制御方法は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットと前記撮像装置本体との着脱状態を検知する検知手段とを具備する撮像装置を制御するための撮像装置の制御方法であって、前記検知手段により前記レンズユニットが前記撮像装置本体から取り外されたことを検知した場合に、前記表示手段の表示状態を、前記撮像手段で撮像した画像を表示している状態から前記記憶手段から読み出した画像を表示する表示状態に切り替えることを特徴としている。
【００２３】
また、本発明に係わる撮像装置の制御方法は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットの前記撮像装置本体に対する着脱を指示する着脱指示手段とを具備する撮像装置を制御するための撮像装置の制御方法であって、前記着脱指示手段により、前記レンズユニットを前記撮像装置本体から取り外す指示が出された場合に、直前に前記撮像手段で撮像した画像を前記記憶手段に記憶した後、該記憶手段から読み出した画像を前記表示手段で表示することを特徴としている。
【００２４】
また、本発明に係わる撮像装置の制御方法は、撮像装置本体に着脱自在に装着され、被写体からの光を結像させるためのレンズユニットと、前記撮像装置本体内に配置され、前記レンズユニットにより結像された被写体像を光電変換して画像信号を生成する撮像手段と、該撮像手段で撮像した画像を表示する表示手段と、前記撮像手段で撮像した画像を記憶する記憶手段と、前記レンズユニットの前記撮像装置本体に対する着脱を指示する着脱指示手段とを具備する撮像装置を制御するための撮像装置の制御方法であって、前記着脱指示手段により、前記レンズユニットを前記撮像装置本体から取り外す指示が出された場合に、前記表示手段の表示状態を、前記撮像手段で撮像した画像を表示している状態から前記記憶手段から読み出した画像を表示する表示状態に切り替えることを特徴としている。
【００３６】
【発明の実施の形態】
以下、本発明の好適な実施形態について、添付図面を参照して詳細に説明する。
【００３７】
（第１の実施形態）
図１は、本発明の第１の実施形態に係わる画像処理装置の構成を示す図である。
【００３８】
図１において、１００は画像処理装置である。
【００３９】
１４は光学像を電気信号に変換する撮像素子、１６は撮像素子１４のアナログ信号出力をディジタル信号に変換するＡ／Ｄ変換器である。
【００４０】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００４１】
２０は画像処理回路であり、 Ａ／Ｄ変換器１６からのデータ或いはメモリ制御回路２２からのデータに対して所定の画素補間処理や色変換処理を行う。
【００４２】
また、画像処理回路２０においては、撮像した画像データを用いて所定の演算処理を行い、得られた演算結果に基づいてシステム制御回路５０が露光制御部３４０、測距制御部３４２に対して制御を行う、TTL（スルー・ザ・レンズ）方式のAF（オートフォーカス）処理、AE（自動露出）処理、ＥＦ（フラッシュプリ発光）処理を行っている。
【００４３】
さらに、画像処理回路２０においては、撮像した画像データを用いて所定の演算処理を行い、得られた演算結果に基づいてTTL方式のAWB（オートホワイトバランス）処理も行っている。
【００４４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００４５】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００４６】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００４７】
画像表示部２８を用いて、撮像した画像データを逐次表示すれば、電子ファインダー機能を実現することが可能である。
【００４８】
また、画像表示部２８は、システム制御回路５０の指示により任意に表示をON/OFFすることが可能であり、表示をOFFにした場合には画像処理装置１００の電力消費を大幅に低減することが出来る。
【００４９】
３０は撮影した静止画像や動画像を格納するためのメモリであり、所定枚数の静止画像や所定時間の動画像を格納するのに十分な記憶量を備えている。
【００５０】
これにより、複数枚の静止画像を連続して撮影する連射撮影やパノラマ撮影の場合にも、高速かつ大量の画像書き込みをメモリ３０に対して行うことが可能となる。
【００５１】
また、メモリ３０はシステム制御回路５０の作業領域としても使用することが可能である。
【００５２】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００５３】
４８はフラッシュであり、AF補助光の投光機能、フラッシュ調光機能も有する。
【００５４】
露光制御部４０、測距制御部４２はTTL方式を用いて制御されており、撮像した画像データを画像処理回路２０によって演算した演算結果に基づき、システム制御回路５０が露光制御部４０、測距制御部４２に対して制御を行う。
【００５５】
５０は画像処理装置１００全体を制御するシステム制御回路、５２はシステム制御回路５０の動作用の定数、変数、プログラム等を記憶するメモリである。
【００５６】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。
【００５７】
また、表示部５４は、その一部の機能が光学ファインダー１０４内に設置されている。
【００５８】
表示部５４の表示内容のうち、LCD等に表示するものとしては、例えば、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信I/F動作表示、日付け・時刻表示、外部コンピュータとの接続状態を示す表示、等がある。
【００５９】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００６０】
さらに、表示部５４の表示内容のうち、LED等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示、等がある。
【００６１】
そして、表示部５４の表示内容のうち、ランプ等に表示するものとしては、例えば、セルフタイマー通知ランプ、等がある。このセルフタイマー通知ランプは、AF補助光と共用して用いても良い。
【００６２】
５６は電気的に消去・記録可能な不揮発性メモリであり、例えばEEPROM等が用いられる。
【００６３】
６０、６２、６４、６６、６８、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００６４】
ここで、これらの操作手段の具体的な説明を行う。
【００６５】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００６６】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００６７】
６４はシャッタースイッチSW2で、不図示のシャッターボタンの操作完了でONとなり、撮像素子１２から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００６８】
６６は画像表示ON/OFFスイッチで、画像表示部２８のON/OFFを設定することが出来る。この機能により、光学ファインダー１０４を用いて撮影を行う際に、TFT LCD等から成る画像表示部への電流供給を遮断することにより、省電力を図ることが可能となる。
【００６９】
６８はクイックレビューON/OFFスイッチで、撮影直後に撮影した画像データを自動再生するクイックレビュー機能を設定する。なお、本実施形態では特に、画像表示部２８をOFFとした場合におけるクイックレビュー機能の設定をする機能を備えるものとする。
【００７０】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付/時間設定ボタン、パノラマモード等の撮影及び再生を実行する際に各種機能の選択及び切り替えを設定する選択/切り替えボタン、パノラマモード等の撮影及び再生を実行する際に各種機能の決定及び実行を設定する決定/実行ボタン等がある。
【００７１】
７２は圧縮モードスイッチで、JPEG圧縮の圧縮率を選択するため、或いは撮像素子の信号をそのままディジタル化して記録媒体に記録するCCDRAWモードを選択するためのスイッチである。
【００７２】
JPEG圧縮のモードは、例えばノーマルモードとファインモードが用意されている。
【００７３】
JPEG圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮を行った後、記録媒体２００或いは２１０に記録を行う。
【００７４】
CCDRAWモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、記録媒体２００或いは２１０に記録を行う。
【００７５】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００７６】
８２はコネクタ、８４はコネクタ、８６はアルカリ電池やリチウム電池等の一次電池やNiCd電池やNiMH電池、Li電池等の二次電池、ACアダプター等からなる電源手段である。
【００７７】
９０及び９４はメモリカードやハードディスク等の記録媒体とのインタフェース、９２及び９６はメモリカードやハードディスク等の記録媒体と接続を行うコネクタ、９８はコネクタ９２及び／或いは９６に記録媒体２００或いは２１０が装着されているか否かを検知する記録媒体着脱検知手段である。
【００７８】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００７９】
インターフェース及びコネクタとしては、PCMCIAカードやCF（コンパクトフラッシュ）カード等の規格に準拠したものを用いて構成して構わない。
【００８０】
さらに、インタフェース９０及び９４、そしてコネクタ９２及び９６をPCMCIAカードやCF（コンパクトフラッシュ）カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００８１】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００８２】
１１０は通信手段で、RS232CやUSB、IEEE1394、P1284、SCSI、モデム、LAN、無線通信、等の各種通信機能を有する。
【００８３】
１１２は通信手段１１０により画像処理装置１００を他の機器と接続するコネクタ或いは無線通信の場合はアンテナである。
【００８４】
１２０は、レンズマウント１０６内において、画像処理装置１００をレンズユニット３００と接続するためのインタフェース、１２２は画像処理装置１００をレンズユニット３００と電気的に接続するコネクタ、１２４はレンズマウント１０６及び／或いはコネクタ１２２にレンズユニット３００が装着されているか否かを検知するレンズ着脱検知手段である。
【００８５】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００８６】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００８７】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００８８】
３００は交換レンズタイプのレンズユニットである。
【００８９】
３０６は、レンズユニット３００を画像処理装置１００と機械的に結合するレンズマウントである。レンズマウント３０６内には、レンズユニット３００を画像処理装置１００と電気的に接続する各種機能が含まれている。
【００９０】
３１０は撮影レンズ、３１２は絞り機能を備えるシャッターである。
【００９１】
３２０は、レンズマウント３０６内において、レンズユニット３００を画像処理装置１００と接続するためのインタフェース、３２２はレンズユニット３００を画像処理装置１００と電気的に接続するコネクタである。
【００９２】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００９３】
３４０は絞り機能を備えるシャッター３１２を制御する露光制御部であり、フラッシュ４８と連携することによりフラッシュ調光機能も有するものである。
【００９４】
３４２は撮影レンズ１０のフォーカシングを制御する測距制御部、３４４は撮影レンズ１０のズーミングを制御するズーム制御部である。
【００９５】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
図２、図３、図４、図５、図６、図７及び図８を参照して、第１の実施形態の動作を説明する。
【００９６】
図２、図３及び図４は本実施形態の画像処理装置１００の主ルーチンのフローチャートである。
【００９７】
図２、図３及び図４を用いて、画像処理装置１００の動作を説明する。
【００９８】
電池交換等の電源投入により、システム制御回路５０はフラグや制御変数等を初期化し（Ｓ１０１）、画像表示部２８の画像表示をOFF状態に初期設定する（Ｓ１０２）。
【００９９】
システム制御回路５０は、モードダイアル６０の設定位置を判断し、モードダイアル６０が電源OFFに設定されていたならば（Ｓ１０３）、各表示部の表示を終了状態に変更し、保護手段（不図示）のバリアを閉じて撮像部を保護し、フラグや制御変数等を含む必要なパラメータや設定値、設定モードを不揮発性メモリ５６に記録し、電源制御部８０により画像表示部２８を含む画像処理装置１００各部の不要な電源を遮断する等の所定の終了処理を行った後（Ｓ１０５）、Ｓ１０３に戻る。
【０１００】
モードダイアル６０が撮影モードに設定されていたならば（Ｓ１０３）、Ｓ１０６に進む。
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【０１０１】
システム制御回路５０は、電源制御部８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【０１０２】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【０１０３】
記録媒体２００或いは２１０の動作状態に問題が無いならば（Ｓ１０７）、表示部５４を用いて画像や音声により画像処理装置１００の各種設定状態の表示を行う（Ｓ１０９）。なお、画像表示部２８の画像表示がONであったならば、画像表示部２８も用いて画像や音声により画像処理装置１００の各種設定状態の表示を行う。
【０１０４】
システム制御回路５０は、クイックレビューON/OFFスイッチ６８の設定状態を調べ（Ｓ１１０）、クイックレビューONに設定されていたならばクイックレビューフラグを設定し（Ｓ１１１）、クイックレビューOFFに設定されていたならばクイックレビューフラグを解除する（Ｓ１１２）。
【０１０５】
なお、クイックレビューフラグの状態は、システム制御回路５０の内部メモリ或いはメモリ５２に記憶する。
【０１０６】
続いて、システム制御回路５０は、画像表示ON/OFFスイッチ６６の設定状態を調べ（Ｓ１１３）、画像表示ONに設定されていたならば、画像表示フラグを設定すると共に（Ｓ１１４）、画像表示部２８の画像表示をON状態に設定し（Ｓ１１５）、さらに撮像した画像データを逐次表示するスルー表示状態に設定して（Ｓ１１６）、Ｓ１１９に進む。
【０１０７】
スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【０１０８】
画像表示ON/OFFスイッチ６６が画像表示OFFに設定されていたならば（Ｓ１１３）、画像表示フラグを解除すると共に（Ｓ１１７）、画像表示部２８の画像表示をOFF状態に設定して（Ｓ１１８）、Ｓ１３１に進む。
【０１０９】
画像表示OFFの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
【０１１０】
なお、画像表示フラグの状態は、システム制御回路５０の内部メモリ或いはメモリ５２に記憶する。
続いて、システム制御回路５０は、レンズ着脱検知手段１２４により、レンズマウント３０６とレンズマウント１０６を介して及び或いはコネクタ３２２とコネクタ１２２を介して、レンズユニット３００が画像処理装置１００に接続されているか否かを調べ（Ｓ１１９）、レンズユニット３００が接続していない、或いはレンズユニット３００が接続してはいるが機能していないならば、画像表示部２８の画像表示をOFF状態に設定すると共に（Ｓ１２０）、表示部５４を用いて画像や音声により所定の警告表示を行った後に（Ｓ１２１）、S１０３に戻る。
このように、画像表示部２８の画像表示をOFF状態に設定することにより、スルー表示動作中にレンズユニット３００が外された場合でも、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８に逐次表示してしまうことを防止することが出来る。
【０１１１】
レンズマウント３０６とレンズマウント１０６を介して及び／或いはコネクタ３２２とコネクタ１２２を介して、レンズユニット３００が画像処理装置１００に接続され、正しく機能していたならば（Ｓ１１９）、Ｓ１３１に進む。
【０１１２】
シャッタースイッチSW1が押されていないならば（Ｓ１３１）、Ｓ１０３に戻る。
【０１１３】
シャッタースイッチSW1が押されたならば（Ｓ１３１）、システム制御回路５０はシステム制御回路５０の内部メモリ或いはメモリ５２に記憶される画像表示フラグの状態を判断し（Ｓ１３２）、画像表示フラグが設定されていたならば画像表示部２８の表示状態をフリーズ表示状態に設定して（Ｓ１３３）、Ｓ１３４に進む。
【０１１４】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【０１１５】
画像表示フラグが解除されていたならば（Ｓ１３２）、Ｓ１３４に進む。
【０１１６】
システム制御回路５０は、測距処理を行って撮影レンズ１０の焦点を被写体に合わせ、測光処理を行って絞り値及びシャッター時間を決定する（Ｓ１３４）。測光処理に於いて、必要であればフラッシュの設定も行う。
【０１１７】
この測距・測光処理Ｓ１３４の詳細は図５を用いて後述する。
【０１１８】
測距・測光処理Ｓ１３４を終えたならば、システム制御回路５０はシステム制御回路５０の内部メモリ或いはメモリ５２に記憶される画像表示フラグの状態を判断し（Ｓ１３５）、画像表示フラグが設定されていないならば、Ｓ１３７に進む。
【０１１９】
画像表示フラグが設定されていたならば画像表示部２８の表示状態をスルー表示状態に設定して（Ｓ１３６）、Ｓ１４７に進む。なお、Ｓ１３６でのスルー表示状態は、Ｓ１１６でのスルー状態と同じ動作状態である。
【０１２０】
続いて、システム制御回路５０は、レンズ着脱検知手段１２４により、レンズマウント３０６とレンズマウント１０６を介して及び／或いはコネクタ３２２とコネクタ１２２を介して、レンズユニット３００が画像処理装置１００に接続されているか否かを調べ（Ｓ１４７）、レンズユニット３００が接続していない、或いはレンズユニット３００が接続してはいるが機能していないならば、画像表示部２８の画像表示をOFF状態に設定すると共に（Ｓ１４９）、表示部５４を用いて画像や音声により所定の警告表示を行った後に（Ｓ１５０）、Ｓ１０３に戻る。
【０１２１】
このように、画像表示部２８の画像表示をOFF状態に設定することにより、スルー表示動作中にレンズユニット３００が外された場合でも、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０１２２】
レンズマウント３０６とレンズマウント１０６を介して及び／或いはコネクタ３２２とコネクタ１２２を介して、レンズユニット３００が画像処理装置１００に接続され、正しく機能していたならば（Ｓ１４７）、Ｓ１３７に進む。
【０１２３】
シャッタースイッチSW2が押されずに（Ｓ１３７）、さらにシャッタースイッチSW1も解除されたならば（Ｓ１４６）、Ｓ１０３に戻る。
【０１２４】
シャッタースイッチSW2が押されたならば（Ｓ１３７）、システム制御回路５０はシステム制御回路５０の内部メモリ或いはメモリ５２に記憶される画像表示フラグの状態を判断し（Ｓ１３８）、画像表示フラグが設定されていたならば画像表示部２８の表示状態を固定色表示状態に設定して（Ｓ１３９）、Ｓ１６１に進む。
【０１２５】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【０１２６】
画像表示フラグが解除されていたならば（Ｓ１３８）、Ｓ１６１に進む。
【０１２７】
システム制御回路５０は、レンズ着脱検知手段１２４により、レンズマウント３０６とレンズマウント１０６を介して及び／或いはコネクタ３２２とコネクタ１２２を介して、レンズユニット３００が画像処理装置１００に接続されているか否かを調べ（Ｓ１６１）、レンズユニット３００が接続していない、或いはレンズユニット３００が接続してはいるが機能していないならば、画像表示部２８の画像表示をOFF状態に設定すると共に（Ｓ１７０）、表示部５４を用いて画像や音声により所定の警告表示を行った後に（Ｓ１７１）、Ｓ１０３に戻る。
【０１２８】
このように、画像表示部２８の画像表示をOFF状態に設定することにより、スルー表示動作中にレンズユニット３００が外された場合でも、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０１２９】
レンズマウント３０６とレンズマウント１０６を介して及び／或いはコネクタ３２２とコネクタ１２２を介して、レンズユニット３００が画像処理装置１００に接続され、正しく機能していたならば（Ｓ１６１）、Ｓ１６２に進む。
【０１３０】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１６２）。
【０１３１】
この撮影処理Ｓ１６２の詳細は図６を用いて後述する。
【０１３２】
撮影処理Ｓ１６２を終えたならば、システム制御回路５０は撮影処理Ｓ１６２によってメモリ３０に書き込まれた画像データを読み出して、メモリ制御回路２２を介して画像表示メモリ２４に転送する表示画像処理を実行する（Ｓ１６３）。
【０１３３】
この表示画像処理Ｓ１６３の詳細は図７を用いて後述する。
【０１３４】
システム制御回路５０は、システム制御回路５０の内部メモリ或いはメモリ５２に記憶される画像表示フラグの状態を判断し（Ｓ１６４）、画像表示フラグが設定されていたならばクイックレビュー表示を行う（Ｓ１６５）。この場合は、撮影中も画像表示部２８が電子ファインダーとして常に表示された状態であり、撮影直後のクイックレビュー表示も行われる。
【０１３５】
画像表示フラグが解除されていたならば（Ｓ１６４）、システム制御回路５０の内部メモリ或いはメモリ５２に記憶されるクイックレビューフラグの状態を判断し（Ｓ１６５）、クイックレビューフラグが設定されていたならば、画像表示部２８の画像表示をON状態に設定し（Ｓ１６６）、クイックレビュー表示を行う（Ｓ１６７）。
【０１３６】
このように、本実施形態によれば、省電力のために或いは光学ファインダー１０４を用いて撮影を行うので電子ファインダー機能が不要であるために、画像表示部２８の画像表示をOFFに設定していても、クイックレビュースイッチによりクイックレビュー機能が設定されていれば、撮影を行った直後に自動的に撮影画像を画像表示部２８に再生することが可能となり、省電力かつ撮影画像の確認に便利な機能を提供することが可能となる。
【０１３７】
画像表示フラグが解除され（Ｓ１６４）、クイックレビューフラグも解除されていたならば（Ｓ１６５）、画像表示部２８がOFFの状態のままＳ１６８に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【０１３８】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行う圧縮処理を行った後（Ｓ１６８）、インタフェース９０或いは９４、コネクタ９２或いは９６を介して、メモリカードやコンパクトフラッシュカード等の記録媒体２００或いは２１０へ画像データの書き込みを行う記録処理を実行する（Ｓ１６９）。
【０１３９】
この圧縮処理Ｓ１６８の詳細は図８を用いて後述する。
【０１４０】
なお、画像表示部２８がONの場合は、記録媒体２００或いは２１０へ画像データの書き込みを行っている間、書き込み動作中であることを明示する例えば「BUSY」のような表示を画像表示部２８に対して行う。
【０１４１】
さらに、表示部５４において例えばLEDを点滅させる等の記録媒体書き込み動作表示も併せて行う。
【０１４２】
記録処理を行った後（S１６９）、Ｓ140に進む。
【０１４３】
Ｓ１６９が終了した際に、シャッタースイッチSW2が押された状態であったならば（Ｓ１４０）、システム制御回路５０はシステム制御回路５０の内部メモリ或いはメモリ５２に記憶される連写フラグの状態を判断し（Ｓ１４１）、連写フラグが設定されていたならば、連続して撮影を行うためにＳ１６１に戻り、次の撮影を行う。
【０１４４】
連写フラグが設定されていないならば（Ｓ１４１）、シャッタースイッチSW2が放されるまで（Ｓ１４０）、現在の処理を繰り返す。
【０１４５】
このように、本実施形態によれば、撮影直後にクイックレビュー表示を行う動作設定状態の場合に、記録処理Ｓ１３４が終了した際にシャッタースイッチSW2が押された状態であったならば、シャッタースイッチSW2が放されるまで画像表示部２８におけるクイックレビュー表示を継続して撮影画像の確認を入念に行うことを可能とすることが出来る。
【０１４６】
Ｓ１６９が終了した際に、シャッタースイッチSW2が放された状態であった、或いは、シャッタースイッチSW2を押し続けてクイックレビュー表示を継続して撮影画像の確認を行った後にシャッタースイッチSW2を放した状態であったならば（Ｓ１４０）、所定のミニマムレビュー時間が経過した後に（Ｓ１４２）、Ｓ１４３に進む。
【０１４７】
このように、本実施形態によれば、画像表示部２８におけるクイックレビュー表示を所定の時間継続することにより、撮影画像の確認を確実に行うことを可能とすると共に、不必要に長時間クイックレビュー表示を継続して次の撮影チャンスを失うことを防止することが出来る。
【０１４８】
なお、このミニマムレビュー時間は、固定値としても、使用者が任意に設定することが可能としても、さらには所定の範囲内で使用者が任意に設定或いは選択することが可能としても、いずれの方法で設定しても構わない。
【０１４９】
システム制御回路５０は、画像表示フラグが設定されていたならば（Ｓ１４３）、画像表示部２８の表示状態をスルー表示状態に設定して（Ｓ１４４）、Ｓ１４８に進む。
【０１５０】
この場合、画像表示部２８でのクイックレビュー表示によって撮影画像を確認した後に、次の撮影のために撮像した画像データを逐次表示するスルー表示状態にすることが出来る。
【０１５１】
画像表示フラグが解除されていたならば（Ｓ１４３）、画像表示部２８の画像表示をOFF状態に設定して（Ｓ１４５）、Ｓ１４６に進む。
【０１５２】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１５３】
システム制御回路５０は、レンズ着脱検知手段１２４により、レンズマウント３０６とレンズマウント１０６を介して及び／或いはコネクタ３２２とコネクタ１２２を介して、レンズユニット３００が画像処理装置１００に接続されているか否かを調べ（Ｓ１４８）、レンズユニット３００が接続していない、或いはレンズユニット３００が接続してはいるが機能していないならば、画像表示部２８の画像表示をOFF状態に設定すると共に（Ｓ１４９）、表示部５４を用いて画像や音声により所定の警告表示を行った後に（Ｓ１５０）、S１０３に戻る。
【０１５４】
このように、画像表示部２８の画像表示をOFF状態に設定することにより、スルー表示動作中にレンズユニット３００が外された場合でも、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０１５５】
レンズマウント３０６とレンズマウント１０６を介して及び／或いはコネクタ３２２とコネクタ１２２を介して、レンズユニット３００が画像処理装置１００に接続され、正しく機能していたならば（Ｓ１４８）、S１４６に進む。
【０１５６】
シャッタースイッチSW1が押された状態であったならば（Ｓ１４６）、システム制御回路５０は、Ｓ１３７に戻って次の撮影に備える。
【０１５７】
シャッタースイッチSW1が放された状態であったならば（Ｓ１４６）、システム制御回路５０は、一連の撮影動作を終えてＳ１０３に戻る。
【０１５８】
以上説明した様に、第１の実施形態によれば、スルー表示動作中にレンズユニット３００が外された場合、直ちに画像表示部２８をOFFとすることにより、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０１５９】
また、撮影準備動作中或いは撮影動作中にレンズユニット３００が外された場合、撮影準備動作及び或いは撮影動作を継続することを禁止することにより、レンズユニット３００が外された状態で誤った撮影が実行されてしまうことを防止することが出来る。
【０１６０】
図５は、図３のＳ１３４における測距・測光処理の詳細なフローチャートである。
【０１６１】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はTTL（スルー・ザ・レンズ）方式のAE（自動露出）処理、EF（フラッシュプリ発光）処理、AF（オートフォーカス）処理に用いる所定の演算を行っている。
【０１６２】
なお、ここでの各処理は、撮影した全画素数のうちの必要に応じた特定の部分を必要個所分切り取って抽出し、演算に用いている。これにより、 TTL方式のAE、EF、AWB、AFの各処理において、中央重点モード、平均モード、評価モードの各モード等の異なるモード毎に最適な演算を行うことが可能となる。
【０１６３】
画像処理回路２０での演算結果を用いて、システム制御回路５０は露出（AE）が適正と判断されるまで（Ｓ２０２）、露光制御部４０を用いてAE制御を行う（Ｓ２０３）。
【０１６４】
AE制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【０１６５】
露出（AE）が適正と判断したならば（Ｓ２０２）、測定データ及び或いは設定パラメータをシステム制御回路５０の内部メモリ或いはメモリ５２に記憶する。
【０１６６】
画像処理回路２０での演算結果及びAE制御で得られた測定データを用いて、システム制御回路５０はホワイトバランス（AWB）が適正と判断されるまで（Ｓ２０６）、画像処理回路２０を用いて色処理のパラメータを調節してAWB制御を行う（Ｓ２０７）。
【０１６７】
ホワイトバランス（AWB）が適正と判断したならば（Ｓ２０６）、測定データ及び／或いは設定パラメータをシステム制御回路５０の内部メモリ或いはメモリ５２に記憶する。
【０１６８】
AE制御及びAWB制御で得られた測定データを用いて、システム制御回路５０は測距（AF）が合焦と判断されるまで（Ｓ２０８）、測距制御部４２を用いてAF制御を行う（Ｓ２０９）。
【０１６９】
測距（AF）が合焦と判断したならば（Ｓ２０８）、測定データ及び／或いは設定パラメータをシステム制御回路５０の内部メモリ或いはメモリ５２に記憶し、測距・測光処理ルーチンＳ１３４を終了する。
【０１７０】
図６は、図４のＳ１６２における撮影処理の詳細なフローチャートである。
【０１７１】
システム制御回路５０は、システム制御回路５０の内部メモリ或いはメモリ５２に記憶される測光データに従い、露光制御部４０によって、絞り機能を有するシャッター１２を絞り値に応じて開放して撮像素子１０を露光する（Ｓ３０１、Ｓ３０２）。
【０１７２】
フラッシュ・フラグによりフラッシュ４８が必要か否かを判断し（Ｓ３０３）、必要な場合はフラッシュを発光させる（Ｓ３０４）。
【０１７３】
システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【０１７４】
一連の処理を終えたならば、撮影処理ルーチンS１６２を終了する。
【０１７５】
図７は、図４のＳ１６３或いはＳ１８０における表示画像処理の詳細なフローチャートである。
【０１７６】
システム制御回路５０は、設定された撮影モードに応じて、フレーム処理を行う必要があるならば（Ｓ４０１）、メモリ制御回路２２そして必要に応じて画像処理回路２０を用いて、メモリ３０に書き込まれた画像データを読み出して垂直加算処理や（Ｓ４０２）、色処理（Ｓ４０３）を順次行った後、メモリ３０に処理を終えた画像データを書き込む。
【０１７７】
システム制御回路５０は、メモリ３０から画像データを読み出し、メモリ制御回路２２を介して画像表示メモリ２４に表示画像データの転送を行う（Ｓ４０４）。
【０１７８】
一連の処理を終えたならば、表示画像処理ルーチンＳ１６３或いはＳ１８０を終了する。
【０１７９】
図８は、図４のＳ１６８における圧縮処理の詳細なフローチャートである。
【０１８０】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ５０１）、メモリ３０に処理を終えた画像データを書き込む。
【０１８１】
そして、メモリ３０に書き込まれた画像データを読み出して、設定したモードに応じた画像圧縮処理を圧縮・伸長回路３２により行う（Ｓ５０２）。
【０１８２】
画像圧縮処理が終わったならば、圧縮処理ルーチンＳ１６８を終了する。
（第２の実施形態）
図９、図１０、図１１、図５、図６、図７及び図８を参照して、第２の実施形態の動作を説明する。
【０１８３】
なお、図５、図６、図７及び図８は、第１の実施形態と同様であるため、説明を省略する。
【０１８４】
図９、図１０及び図１１を用いて、画像処理装置１００の動作を説明する。
【０１８５】
電池交換等の電源投入により、システム制御回路５０はフラグや制御変数等を初期化し（Ｓ６０１）、画像表示部２８の画像表示をOFF状態に初期設定する（Ｓ６０２）。
【０１８６】
システム制御回路５０は、モードダイアル６０の設定位置を判断し、モードダイアル６０が電源OFFに設定されていたならば（Ｓ６０３）、各表示部の表示を終了状態に変更し、保護手段（不図示）のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ６０５）、Ｓ６０３に戻る。
【０１８７】
モードダイアル６０が撮影モードに設定されていたならば（Ｓ６０３）、Ｓ６０６に進む。
【０１８８】
モードダイアル６０がその他のモードに設定されていたならば（Ｓ６０３）、システム制御回路５０は選択されたモードに応じた処理を実行し（Ｓ６０４）、処理を終えたならばＳ６０３に戻る。
【０１８９】
システム制御回路５０は、電源制御手段８０により電池等により構成される電源８６の残容量や動作情況が画像処理装置１００の動作に問題があるか否かを判断し（Ｓ６０６）、問題があるならば表示部５４を用いて画像や音声により所定の警告表示を行った後に（Ｓ６０８）、Ｓ６０３に戻る。
【０１９０】
電源８６に問題が無いならば（Ｓ６０６）、システム制御回路５０は記録媒体２００或いは２１０の動作状態が画像処理装置１００の動作、特に記録媒体に対する画像データの記録再生動作に問題があるか否かを判断し（Ｓ６０７）、問題があるならば表示部５４を用いて画像や音声により所定の警告表示を行った後に（Ｓ６０８）、Ｓ６０３に戻る。
【０１９１】
記録媒体２００或いは２１０の動作状態に問題が無いならば（Ｓ６０７）、表示部５４を用いて画像や音声により画像処理装置１００の各種設定状態の表示を行う（Ｓ６０９）。なお、画像表示部２８の画像表示がONであったならば、画像表示部２８も用いて画像や音声により画像処理装置１００の各種設定状態の表示を行う。
【０１９２】
システム制御回路５０は、クイックレビューON/OFFスイッチ６８の設定状態を調べ（Ｓ６１０）、クイックレビューONに設定されていたならばクイックレビューフラグを設定し（Ｓ６１１）、クイックレビューOFFに設定されていたならばクイックレビューフラグを解除する（Ｓ６１２）。
【０１９３】
なお、クイックレビューフラグの状態は、システム制御回路５０の内部メモリ或いはメモリ５２に記憶する。
【０１９４】
続いて、システム制御回路５０は、画像表示ON/OFFスイッチ６６の設定状態を調べ（Ｓ６１３）、画像表示ONに設定されていたならば、画像表示フラグを設定すると共に（Ｓ６１４）、画像表示部２８の画像表示をON状態に設定し（Ｓ６１５）、Ｓ６１９に進む。
【０１９５】
続いて、システム制御回路５０は、レンズ着脱検知手段１２４により、レンズマウント３０６とレンズマウント１０６を介して及び／或いはコネクタ３２２とコネクタ１２２を介して、レンズユニット３００が画像処理装置１００に接続されているか否かを調べ（Ｓ６１９）、レンズユニット３００が接続していない、或いはレンズユニット３００が接続してはいるが機能していないならば、画像表示部２８の画像表示を固定色表示状態に設定すると共に（Ｓ６２０）、表示部５４及び／或いは  画像表示部２８を用いて画像や音声により所定の警告表示を行った後に（Ｓ６２１）、Ｓ６０３に戻る。
【０１９６】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【０１９７】
このように、画像表示部２８の画像表示を固定色表示状態に設定すると共に、レンズユニット３００が外された際にはＳ６１６のスルー表示のステップへ処理が進まないようにしたため、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０１９８】
レンズマウント３０６とレンズマウント１０６を介して及び／或いは  コネクタ３２２とコネクタ１２２を介して、レンズユニット３００が画像処理装置１００に接続され、正しく機能していたならば（Ｓ６１９）、システム制御回路５０は、画像表示部２８の画像表示を撮像した画像データを逐次表示するスルー表示状態に設定して（Ｓ６１６）、Ｓ６３１に進む。
【０１９９】
スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【０２００】
画像表示ON/OFFスイッチ６６が画像表示OFFに設定されていたならば（Ｓ６１３）、画像表示フラグを解除すると共に（Ｓ６１７）、画像表示部２８の画像表示をOFF状態に設定して（Ｓ６１８）、Ｓ６３１に進む。
【０２０１】
画像表示OFFの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
【０２０２】
なお、画像表示フラグの状態は、システム制御回路５０の内部メモリ或いはメモリ５２に記憶する。
【０２０３】
シャッタースイッチSW1が押されていないならば（Ｓ６３１）、Ｓ６０３に戻る。
【０２０４】
シャッタースイッチSW1が押されたならば（Ｓ６３１）、システム制御回路５０は、レンズ着脱検知手段１２４により、レンズマウント３０６とレンズマウント１０６を介して及び／或いは  コネクタ３２２とコネクタ１２２を介して、レンズユニット３００が画像処理装置１００に接続されているか否かを調べ（Ｓ６４７）、レンズユニット３００が接続していない、或いはレンズユニット３００が接続してはいるが機能していないならば、画像表示部２８の画像表示を固定色表示状態に設定すると共に（Ｓ６４８）、表示部５４を用いて画像や音声により所定の警告表示を行った後に（Ｓ６５１）、Ｓ６０３に戻る。
【０２０５】
このように、レンズユニット３００が外されたままの状態で測距・測光処理Ｓ６３４等の撮影動作を継続してしまうことを防止することが出来る。
【０２０６】
レンズマウント３０６とレンズマウント１０６を介して及び／或いは  コネクタ３２２とコネクタ１２２を介して、レンズユニット３００が画像処理装置１００に接続され、正しく機能していたならば（Ｓ６４７）、システム制御回路５０はシステム制御回路５０の内部メモリ或いはメモリ５２に記憶される画像表示フラグの状態を判断し（Ｓ６３２）、画像表示フラグが設定されていたならば画像表示部２８の表示状態をフリーズ表示状態に設定して（Ｓ６３３）、Ｓ６３４に進む。
【０２０７】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【０２０８】
画像表示フラグが解除されていたならば（Ｓ６３２）、Ｓ６３４に進む。
【０２０９】
システム制御回路５０は、測距処理を行って撮影レンズ１０の焦点を被写体に合わせ、測光処理を行って絞り値及びシャッター時間を決定する（Ｓ６３４）。
測光処理に於いて、必要であればフラッシュの設定も行う。
【０２１０】
この測距・測光処理Ｓ６３４の詳細は図５を用いて前述した通りである。
【０２１１】
測距・測光処理Ｓ６３４を終えたならば、システム制御回路５０はシステム制御回路５０の内部メモリ或いはメモリ５２に記憶される画像表示フラグの状態を判断し（Ｓ６３５）、画像表示フラグが設定されていないならば、Ｓ６３７に進む。
【０２１２】
画像表示フラグが設定されていたならば、システム制御回路５０は、レンズ着脱検知手段１２４により、レンズマウント３０６とレンズマウント１０６を介して及び／或いは  コネクタ３２２とコネクタ１２２を介して、レンズユニット３００が画像処理装置１００に接続されているか否かを調べ（Ｓ６４９）、レンズユニット３００が接続していない、或いはレンズユニット３００が接続してはいるが機能していないならば、表示部５４及び／或いは  画像表示部２８を用いて画像や音声により所定の警告表示を行った後に（Ｓ６５１）、Ｓ６０３に戻る。
【０２１３】
このように、レンズユニット３００が外された際にはＳ６３６のスルー表示のステップへ処理が進まないようにしたため、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０２１４】
レンズマウント３０６とレンズマウント１０６を介して及び／或いは  コネクタ３２２とコネクタ１２２を介して、レンズユニット３００が画像処理装置１００に接続され、正しく機能していたならば（Ｓ６４９）、システム制御回路５０は画像表示部２８の表示状態をスルー表示状態に設定して（Ｓ６３６）、Ｓ６３７に進む。なお、Ｓ６３６でのスルー表示状態は、Ｓ６１６でのスルー状態と同じ動作状態である。
【０２１５】
シャッタースイッチSW2が押されずに（Ｓ６３７）、さらにシャッタースイッチSW1も解除されたならば（Ｓ６４６）、Ｓ６０３に戻る。
【０２１６】
シャッタースイッチSW2が押されたならば（Ｓ６３７）、システム制御回路５０はシステム制御回路５０の内部メモリ或いはメモリ５２に記憶される画像表示フラグの状態を判断し（Ｓ６３８）、画像表示フラグが設定されていたならば画像表示部２８の表示状態を固定色表示状態に設定して（Ｓ６３９）、Ｓ６６１に進む。
【０２１７】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【０２１８】
画像表示フラグが解除されていたならば（Ｓ６３８）、Ｓ６６１に進む。
【０２１９】
システム制御回路５０は、レンズ着脱検知手段１２４により、レンズマウント３０６とレンズマウント１０６を介して及び／或いは  コネクタ３２２とコネクタ１２２を介して、レンズユニット３００が画像処理装置１００に接続されているか否かを調べ（Ｓ６６１）、レンズユニット３００が接続していない、或いはレンズユニット３００が接続してはいるが機能していないならば、表示部５４及び／或いは  画像表示部２８を用いて画像や音声により所定の警告表示を行った後に（Ｓ６７０）、Ｓ６０３に戻る。
【０２２０】
このように、レンズユニット３００が外されたままの状態で撮影処理Ｓ６６２等の撮影動作を継続してしまうことを防止することが出来る。
【０２２１】
レンズマウント３０６とレンズマウント１０６を介して及び／或いは  コネクタ３２２とコネクタ１２２を介して、レンズユニット３００が画像処理装置１００に接続され、正しく機能していたならば（Ｓ６６１）、Ｓ６６２に進む。
【０２２２】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ６６２）。
【０２２３】
この撮影処理Ｓ６６２の詳細は図６を用いて前述した通りである。
【０２２４】
撮影処理Ｓ６６２を終えたならば、システム制御回路５０は撮影処理Ｓ６６２によってメモリ３０に書き込まれた画像データを読み出して、メモリ制御回路２２を介して画像表示メモリ２４に転送する表示画像処理を実行する（Ｓ６６３）。
【０２２５】
この表示画像処理Ｓ６６３の詳細は図７を用いて前述した通りである。
【０２２６】
システム制御回路５０は、システム制御回路５０の内部メモリ或いはメモリ５２に記憶される画像表示フラグの状態を判断し（Ｓ６６４）、画像表示フラグが設定されていたならばクイックレビュー表示を行う（Ｓ６６５）。この場合は、撮影中も画像表示部２８が電子ファインダーとして常に表示された状態であり、撮影直後のクイックレビュー表示も行われる。
【０２２７】
画像表示フラグが解除されていたならば（Ｓ６６４）、システム制御回路５０の内部メモリ或いはメモリ５２に記憶されるクイックレビューフラグの状態を判断し（Ｓ６６５）、クイックレビューフラグが設定されていたならば、画像表示部２８の画像表示をON状態に設定し（Ｓ６６６）、クイックレビュー表示を行う（Ｓ６６７）。
【０２２８】
このように、本実施形態によれば、省電力のために或いは光学ファインダー１０４を用いて撮影を行うので電子ファインダー機能が不要であるために、画像表示部２８の画像表示をOFFに設定していても、クイックレビュースイッチによりクイックレビュー機能が設定されていれば、撮影を行った直後に自動的に撮影画像を画像表示部２８に再生することが可能となり、省電力かつ撮影画像の確認に便利な機能を提供することが可能となる。
【０２２９】
画像表示フラグが解除され（Ｓ６６４）、クイックレビューフラグも解除されていたならば（Ｓ６６５）、画像表示部２８がOFFの状態のままＳ６６８に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【０２３０】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行う圧縮処理を行った後（Ｓ６６８）、インタフェース９０或いは９４、コネクタ９２或いは９６を介して、メモリカードやコンパクトフラッシュカード等の記録媒体２００或いは２１０へ画像データの書き込みを行う記録処理を実行する（Ｓ６６９）。
【０２３１】
この圧縮処理Ｓ６６８の詳細は図８を用いて前述した通りである。
【０２３２】
なお、画像表示部２８がONの場合は、記録媒体２００或いは２１０へ画像データの書き込みを行っている間、書き込み動作中であることを明示する例えば「BUSY」のような表示を画像表示部２８に対して行う。
【０２３３】
さらに、表示部５４において例えばLEDを点滅させる等の記録媒体書き込み動作表示も併せて行う。
【０２３４】
記録処理を行った後（Ｓ６６９）、Ｓ６４0に進む。
【０２３５】
Ｓ６６９が終了した際に、シャッタースイッチSW2が押された状態であったならば（Ｓ６４０）、システム制御回路５０はシステム制御回路５０の内部メモリ或いはメモリ５２に記憶される連写フラグの状態を判断し（Ｓ６４１）、連写フラグが設定されていたならば、連続して撮影を行うためにＳ６６１に戻り、次の撮影を行う。
【０２３６】
連写フラグが設定されていないならば（Ｓ６４１）、シャッタースイッチSW2が放されるまで（Ｓ６４０）、現在の処理を繰り返す。
【０２３７】
このように、本実施形態によれば、撮影直後にクイックレビュー表示を行う動作設定状態の場合に、記録処理Ｓ６３４が終了した際にシャッタースイッチSW2が押された状態であったならば、シャッタースイッチSW2が放されるまで画像表示部２８におけるクイックレビュー表示を継続して撮影画像の確認を入念に行うことを可能とすることが出来る。
【０２３８】
Ｓ６６９が終了した際に、シャッタースイッチSW2が放された状態であった、或いは、シャッタースイッチSW2を押し続けてクイックレビュー表示を継続して撮影画像の確認を行った後にシャッタースイッチSW2を放した状態であったならば（Ｓ６４０）、所定のミニマムレビュー時間が経過した後に（Ｓ６４２）、Ｓ６４３に進む。
【０２３９】
このように、本実施形態によれば、画像表示部２８におけるクイックレビュー表示を所定の時間継続することにより、撮影画像の確認を確実に行うことを可能とすると共に、不必要に長時間クイックレビュー表示を継続して次の撮影チャンスを失うことを防止することが出来る。
【０２４０】
なお、このミニマムレビュー時間は、固定値としても、使用者が任意に設定することが可能としても、さらには所定の範囲内で使用者が任意に設定或いは選択することが可能としても、いずれの方法で設定しても構わない。
【０２４１】
画像表示フラグが設定されていたならば（Ｓ６４３）、システム制御回路５０は、レンズ着脱検知手段１２４により、レンズマウント３０６とレンズマウント１０６を介して及び／或いは  コネクタ３２２とコネクタ１２２を介して、レンズユニット３００が画像処理装置１００に接続されているか否かを調べ（Ｓ６５０）、レンズユニット３００が接続していない、或いはレンズユニット３００が接続してはいるが機能していないならば、表示部５４及び／或いは  画像表示部２８を用いて画像や音声により所定の警告表示を行った後に（Ｓ６５１）、Ｓ６０３に戻る。
【０２４２】
このように、レンズユニット３００が外された際にはＳ６４４のスルー表示のステップへ処理が進まないようにしたため、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０２４３】
レンズマウント３０６とレンズマウント１０６を介して及び／或いは  コネクタ３２２とコネクタ１２２を介して、レンズユニット３００が画像処理装置１００に接続され、正しく機能していたならば（Ｓ６５０）、画像表示部２８の表示状態をスルー表示状態に設定して（Ｓ６４４）、Ｓ６４６に進む。
この場合、画像表示部２８でのクイックレビュー表示によって撮影画像を確認した後に、次の撮影のために撮像した画像データを逐次表示するスルー表示状態にすることが出来る。
【０２４４】
画像表示フラグが解除されていたならば（Ｓ６４３）、画像表示部２８の画像表示をOFF状態に設定して（Ｓ６４５）、Ｓ６４６に進む。
【０２４５】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０２４６】
シャッタースイッチSW1が押された状態であったならば（Ｓ６４６）、システム制御回路５０は、Ｓ６３７に戻って次の撮影に備える。
【０２４７】
シャッタースイッチSW1が放された状態であったならば（Ｓ６４６）、システム制御回路５０は、一連の撮影動作を終えてＳ６０３に戻る。
【０２４８】
以上説明した様に、第２の実施形態によれば、撮影準備中或いは撮影動作中にレンズユニット３００が外された場合、画像表示部２８をスルー表示状態にするのを禁止することにより、レンズユニット３００が外されても、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０２４９】
また、撮影準備中或いは撮影動作中にレンズユニット３００が外された場合、画像表示部２８をスルー表示状態以外の他の表示状態とすることにより、レンズユニット３００が外されても、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０２５０】
さらに、撮影準備動作中或いは撮影動作中にレンズユニット３００が外された場合、撮影準備動作及び／或いは  撮影動作を継続することを禁止することにより、レンズユニット３００が外された状態で誤った撮影が実行されてしまうことを防止することが出来る。
（第３の実施形態）
図１２は、本発明の第３の実施形態の構成を示す図である。
【０２５１】
図１２においては、図１と異なる構成部分のみを説明する。
【０２５２】
１２６は画像処理装置１００からレンズユニット３００を着脱する際に用いるレンズ着脱スイッチである。
【０２５３】
図１３、図１４、図１５、図５、図６、図７及び図８を参照して、第３の実施形態の動作を説明する。
【０２５４】
なお、図５、図６、図７及び図８は、第1の実施形態と同様であるため、説明を省略する。
【０２５５】
図１３、図１４及び図１５は第３の実施形態の画像処理装置１００の主ルーチンのフローチャートである。
【０２５６】
図１３、図１４及び図１５を用いて、画像処理装置１００の動作を説明する。
【０２５７】
電池交換等の電源投入により、システム制御回路５０はフラグや制御変数等を初期化し（Ｓ７０１）、画像表示部２８の画像表示をOFF状態に初期設定する（Ｓ７０２）。
【０２５８】
システム制御回路５０は、モードダイアル６０の設定位置を判断し、モードダイアル６０が電源OFFに設定されていたならば（Ｓ７０３）、各表示部の表示を終了状態に変更し、保護手段（不図示）のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ７０５）、Ｓ７０３に戻る。
【０２５９】
モードダイアル６０が撮影モードに設定されていたならば（Ｓ７０３）、Ｓ７０６に進む。
【０２６０】
モードダイアル６０がその他のモードに設定されていたならば（Ｓ７０３）、システム制御回路５０は選択されたモードに応じた処理を実行し（Ｓ７０４）、処理を終えたならばＳ７０３に戻る。
【０２６１】
システム制御回路５０は、電源制御手段８０により電池等により構成される電源８６の残容量や動作情況が画像処理装置１００の動作に問題があるか否かを判断し（Ｓ７０６）、問題があるならば表示部５４を用いて画像や音声により所定の警告表示を行った後に（Ｓ７０８）、Ｓ７０３に戻る。
【０２６２】
電源８６に問題が無いならば（Ｓ７０６）、システム制御回路５０は記録媒体２００或いは２１０の動作状態が画像処理装置１００の動作、特に記録媒体に対する画像データの記録再生動作に問題があるか否かを判断し（Ｓ７０７）、問題があるならば表示部５４を用いて画像や音声により所定の警告表示を行った後に（Ｓ７０８）、Ｓ７０３に戻る。
【０２６３】
記録媒体２００或いは２１０の動作状態に問題が無いならば（Ｓ７０７）、表示部５４を用いて画像や音声により画像処理装置１００の各種設定状態の表示を行う（Ｓ７０９）。なお、画像表示部２８の画像表示がONであったならば、画像表示部２８も用いて画像や音声により画像処理装置１００の各種設定状態の表示を行う。
【０２６４】
システム制御回路５０は、クイックレビューON/OFFスイッチ６８の設定状態を調べ（Ｓ７１０）、クイックレビューONに設定されていたならばクイックレビューフラグを設定し（Ｓ７１１）、クイックレビューOFFに設定されていたならばクイックレビューフラグを解除する（Ｓ７１２）。
【０２６５】
なお、クイックレビューフラグの状態は、システム制御回路５０の内部メモリ或いはメモリ５２に記憶する。
【０２６６】
続いて、システム制御回路５０は、画像表示ON/OFFスイッチ６６の設定状態を調べ（Ｓ７１３）、画像表示ONに設定されていたならば、画像表示フラグを設定すると共に（Ｓ７１４）、画像表示部２８の画像表示をON状態に設定し（Ｓ７１５）、さらに撮像した画像データを逐次表示するスルー表示状態に設定して（Ｓ７１６）、Ｓ７１９に進む。
【０２６７】
スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【０２６８】
画像表示ON/OFFスイッチ６６が画像表示OFFに設定されていたならば（Ｓ７１３）、画像表示フラグを解除すると共に（Ｓ７１７）、画像表示部２８の画像表示をOFF状態に設定して（Ｓ７１８）、Ｓ７３１に進む。
画像表示OFFの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
【０２６９】
なお、画像表示フラグの状態は、システム制御回路５０の内部メモリ或いはメモリ５２に記憶する。
【０２７０】
続いて、システム制御回路５０は、レンズ着脱スイッチ１２６によりレンズユニット３００を外す動作が開始されようとしているかどうかを検出し（Ｓ７１９）、レンズユニット３００を外す動作が開始されようとしているならば、画像表示部２８の表示状態をフリーズ表示状態に設定すると共に（Ｓ７２０）、表示部５４及び／或いは  画像表示部２８を用いて画像や音声により所定の警告表示を行った後に（Ｓ７２１）、Ｓ７０３に戻る。
【０２７１】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【０２７２】
このように、画像表示部２８の表示状態をフリーズ表示状態に設定することにより、スルー表示動作中にレンズユニット３００が外されようとした場合でも、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０２７３】
レンズユニット３００を外す動作が開始されていないならば（Ｓ７１９）、Ｓ７３１に進む。
【０２７４】
シャッタースイッチSW1が押されていないならば（Ｓ７３１）、Ｓ７０３に戻る。
【０２７５】
シャッタースイッチSW1が押されたならば（Ｓ７３１）、システム制御回路５０はシステム制御回路５０の内部メモリ或いはメモリ５２に記憶される画像表示フラグの状態を判断し（Ｓ７３２）、画像表示フラグが設定されていたならば画像表示部２８の表示状態をフリーズ表示状態に設定して（Ｓ７３３）、Ｓ７３４に進む。
【０２７６】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【０２７７】
画像表示フラグが解除されていたならば（Ｓ７３２）、Ｓ７３４に進む。
【０２７８】
システム制御回路５０は、測距処理を行って撮影レンズ１０の焦点を被写体に合わせ、測光処理を行って絞り値及びシャッター時間を決定する（Ｓ７３４）。
測光処理に於いて、必要であればフラッシュの設定も行う。
【０２７９】
この測距・測光処理Ｓ７３４の詳細は図５を用いて前述した通りである。
【０２８０】
測距・測光処理Ｓ７３４を終えたならば、システム制御回路５０はシステム制御回路５０の内部メモリ或いはメモリ５２に記憶される画像表示フラグの状態を判断し（Ｓ７３５）、画像表示フラグが設定されていないならば、Ｓ７３７に進む。
【０２８１】
画像表示フラグが設定されていたならば画像表示部２８の表示状態をスルー表示状態に設定して（Ｓ７３６）、Ｓ７４７に進む。なお、Ｓ７３６でのスルー表示状態は、Ｓ７１６でのスルー状態と同じ動作状態である。
【０２８２】
続いて、システム制御回路５０は、レンズ着脱スイッチ１２６によりレンズユニット３００を外す動作が開始されようとしているかどうかを検出し（Ｓ７４７）、レンズユニット３００を外す動作が開始されようとしているならば、画像表示部２８の表示状態をフリーズ表示状態に設定すると共に（Ｓ７４９）、表示部５４及び／或いは  画像表示部２８を用いて画像や音声により所定の警告表示を行った後に（Ｓ７５０）、Ｓ７０３に戻る。
【０２８３】
このように、画像表示部２８の表示状態をフリーズ表示状態に設定することにより、スルー表示動作中にレンズユニット３００が外された場合でも、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０２８４】
レンズユニット３００を外す動作が開始されていないならば（Ｓ７４７）、Ｓ７３７に進む。
【０２８５】
シャッタースイッチSW2が押されずに（Ｓ７３７）、さらにシャッタースイッチSW1も解除されたならば（Ｓ７４６）、Ｓ７０３に戻る。
【０２８６】
シャッタースイッチSW2が押されたならば（Ｓ７３７）、システム制御回路５０はシステム制御回路５０の内部メモリ或いはメモリ５２に記憶される画像表示フラグの状態を判断し（Ｓ７３８）、画像表示フラグが設定されていたならば画像表示部２８の表示状態を固定色表示状態に設定して（Ｓ７３９）、Ｓ７６１に進む。
【０２８７】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【０２８８】
画像表示フラグが解除されていたならば（Ｓ７３８）、Ｓ７６１に進む。
【０２８９】
システム制御回路５０は、レンズ着脱スイッチ１２６によりレンズユニット３００を外す動作が開始されようとしているかどうかを検出し（Ｓ７６１）、レンズユニット３００を外す動作が開始されようとしているならば、画像表示部２８の表示状態をフリーズ表示状態に設定すると共に（Ｓ７７０）、表示部５４及び／或いは  画像表示部２８を用いて画像や音声により所定の警告表示を行った後に（Ｓ７７１）、Ｓ７０３に戻る。
【０２９０】
このように、画像表示部２８の表示状態をフリーズ表示状態に設定することにより、スルー表示動作中にレンズユニット３００が外された場合でも、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０２９１】
レンズユニット３００を外す動作が開始されていないならば（Ｓ７６１）、Ｓ７６２に進む。
【０２９２】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ７６２）。
【０２９３】
この撮影処理Ｓ７６２の詳細は図６を用いて前述した通りである。
【０２９４】
撮影処理Ｓ７６２を終えたならば、システム制御回路５０は撮影処理Ｓ７６２によってメモリ３０に書き込まれた画像データを読み出して、メモリ制御回路２２を介して画像表示メモリ２４に転送する表示画像処理を実行する（Ｓ７６３）。
【０２９５】
この表示画像処理Ｓ７６３の詳細は図７を用いて前述した通りである。
【０２９６】
システム制御回路５０は、システム制御回路５０の内部メモリ或いはメモリ５２に記憶される画像表示フラグの状態を判断し（Ｓ７６４）、画像表示フラグが設定されていたならばクイックレビュー表示を行う（Ｓ７６５）。この場合は、撮影中も画像表示部２８が電子ファインダーとして常に表示された状態であり、撮影直後のクイックレビュー表示も行われる。
【０２９７】
画像表示フラグが解除されていたならば（Ｓ７６４）、システム制御回路５０の内部メモリ或いはメモリ５２に記憶されるクイックレビューフラグの状態を判断し（Ｓ７６５）、クイックレビューフラグが設定されていたならば、画像表示部２８の画像表示をON状態に設定し（Ｓ７６６）、クイックレビュー表示を行う（Ｓ７６７）。
【０２９８】
このように、本実施形態によれば、省電力のために或いは光学ファインダー１０４を用いて撮影を行うので電子ファインダー機能が不要であるために、画像表示部２８の画像表示をOFFに設定していても、クイックレビュースイッチによりクイックレビュー機能が設定されていれば、撮影を行った直後に自動的に撮影画像を画像表示部２８に再生することが可能となり、省電力かつ撮影画像の確認に便利な機能を提供することが可能となる。
【０２９９】
画像表示フラグが解除され（Ｓ７６４）、クイックレビューフラグも解除されていたならば（Ｓ７６５）、画像表示部２８がOFFの状態のままＳ７６８に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【０３００】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行う圧縮処理を行った後（Ｓ７６８）、インタフェース９０或いは９４、コネクタ９２或いは９６を介して、メモリカードやコンパクトフラッシュカード等の記録媒体２００或いは２１０へ画像データの書き込みを行う記録処理を実行する（Ｓ７６９）。
【０３０１】
この圧縮処理Ｓ７６８の詳細は図８を用いて前述した通りである。
【０３０２】
なお、画像表示部２８がONの場合は、記録媒体２００或いは２１０へ画像データの書き込みを行っている間、書き込み動作中であることを明示する例えば「BUSY」のような表示を画像表示部２８に対して行う。
【０３０３】
さらに、表示部５４において例えばLEDを点滅させる等の記録媒体書き込み動作表示も併せて行う。
【０３０４】
記録処理を行った後（Ｓ７６９）、Ｓ７４0に進む。
【０３０５】
Ｓ７６９が終了した際に、シャッタースイッチSW2が押された状態であったならば（Ｓ７４０）、システム制御回路５０はシステム制御回路５０の内部メモリ或いはメモリ５２に記憶される連写フラグの状態を判断し（Ｓ７４１）、連写フラグが設定されていたならば、連続して撮影を行うためにＳ７６１に戻り、次の撮影を行う。
【０３０６】
連写フラグが設定されていないならば（Ｓ７４１）、シャッタースイッチSW2が放されるまで（Ｓ７４０）、現在の処理を繰り返す。
【０３０７】
このように、本実施形態によれば、撮影直後にクイックレビュー表示を行う動作設定状態の場合に、記録処理Ｓ７３４が終了した際にシャッタースイッチSW2が押された状態であったならば、シャッタースイッチSW2が放されるまで画像表示部２８におけるクイックレビュー表示を継続して撮影画像の確認を入念に行うことを可能とすることが出来る。
【０３０８】
Ｓ７６９が終了した際に、シャッタースイッチSW2が放された状態であった、或いは、シャッタースイッチSW2を押し続けてクイックレビュー表示を継続して撮影画像の確認を行った後にシャッタースイッチSW2を放した状態であったならば（Ｓ７４０）、所定のミニマムレビュー時間が経過した後に（Ｓ７４２）、Ｓ７４３に進む。
【０３０９】
このように、本実施形態によれば、画像表示部２８におけるクイックレビュー表示を所定の時間継続することにより、撮影画像の確認を確実に行うことを可能とすると共に、不必要に長時間クイックレビュー表示を継続して次の撮影チャンスを失うことを防止することが出来る。
【０３１０】
なお、このミニマムレビュー時間は、固定値としても、使用者が任意に設定することが可能としても、さらには所定の範囲内で使用者が任意に設定或いは選択することが可能としても、いずれの方法で設定しても構わない。
【０３１１】
システム制御回路５０は、画像表示フラグが設定されていたならば（Ｓ７４３）、画像表示部２８の表示状態をスルー表示状態に設定して（Ｓ７４４）、Ｓ７４８に進む。
【０３１２】
この場合、画像表示部２８でのクイックレビュー表示によって撮影画像を確認した後に、次の撮影のために撮像した画像データを逐次表示するスルー表示状態にすることが出来る。
【０３１３】
画像表示フラグが解除されていたならば（Ｓ７４３）、画像表示部２８の画像表示をOFF状態に設定して（Ｓ７４５）、Ｓ７４６に進む。
【０３１４】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０３１５】
システム制御回路５０は、レンズ着脱スイッチ１２６によりレンズユニット３００を外す動作が開始されようとしているかどうかを検出し（Ｓ７４８）、レンズユニット３００を外す動作が開始されようとしているならば、画像表示部２８の表示状態をフリーズ表示状態に設定すると共に（Ｓ７４９）、表示部５４及び／或いは  画像表示部２８を用いて画像や音声により所定の警告表示を行った後に（Ｓ７５０）、Ｓ７０３に戻る。
【０３１６】
このように、画像表示部２８の表示状態をフリーズ表示状態に設定することにより、スルー表示動作中にレンズユニット３００が外された場合でも、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０３１７】
レンズユニット３００を外す動作が開始されていないならば（Ｓ７４８）、Ｓ７４６に進む。
【０３１８】
シャッタースイッチSW1が押された状態であったならば（Ｓ７４６）、システム制御回路５０は、Ｓ７３７に戻って次の撮影に備える。
【０３１９】
シャッタースイッチSW1が放された状態であったならば（Ｓ７４６）、システム制御回路５０は、一連の撮影動作を終えてＳ７０３に戻る。
【０３２０】
以上説明した様に、第３の実施形態によれば、スルー表示動作中にレンズユニット３００が外されようとした場合に、画像表示部２８をフリーズ表示状態とすることにより、レンズが外される直前の画像を画像表示部２８に表示することが出来る。これにより、レンズユニット３００が外されても、レンズを通さずに撮像素子１４に直接入射した外光等の不要な光線を、Ａ／Ｄ変換器１６、画像処理回路２０、メモリ制御回路２２を介して、画像表示メモリ２４に逐次書き込むこと、及びメモリ制御回路２２、Ｄ／Ａ変換器２６を介して画像表示部２８により逐次表示してしまうことを防止することが出来る。
【０３２１】
また、撮影準備動作中或いは撮影動作中にレンズユニット３００が外された場合、撮影準備動作及び／或いは  撮影動作を継続することを禁止することにより、レンズユニット３００が外された状態で誤った撮影が実行されてしまうことを防止することが出来る。
【０３２２】
以上、図１乃至図１２を用いて本発明の実施形態の説明を行った。
【０３２３】
なお、実施形態の説明に於いては、レンズ着脱検知手段１２４が独立した構成として説明したが、画像処理装置１００とレンズユニット３００との間の通信機能を用いて、レンズユニット３００の着脱を検知しても構わない。この場合、システム制御回路５０は、インタフェース１２０、コネクタ１２２、コネクタ３２２、インタフェース３２０を介して、レンズ制御回路３５０と通信を行うことにより、レンズユニット３００の着脱を検知することが出来る。
【０３２４】
また、インタフェース１２０にレンズ着脱検知手段１２４の機能を代替させても勿論問題ない。
【０３２５】
そして、レンズ着脱スイッチ１２６は、レンズマウント１０６或いはレンズマウント３０６内に設置されたレンズマウントの着脱を検出するスイッチであっても、レンズ着脱ボタン等の機械的な押しボタンと連動するスイッチであっても、コネクタ１２２及び／或いは  コネクタ３２２の装抜を検出するスイッチや信号ピン等であっても、レンズユニット３００を外そうとしている状態を検知出来るものであればどのような構成であっても勿論問題ない。
【０３２６】
また、画像表示部２８をOFFする場合に、画像表示部２８を構成する全ての要素をOFFするとして説明したが、画像表示部２８の要素の一部をOFFするだけでも勿論問題ない。この場合でも、レンズユニット３００が外された際に、画像表示部２８に不要な画像が表示されることを防止する機能を備えることが出来る。例えば、画像表示部２８がLCDとバックライトから構成されている場合、LCDがONのままバックライトのみをOFFしても、実施形態での説明同様、レンズユニット３００が外された際に、画像表示部２８に不要な画像が表示されることを防止する機能を備えることが出来る。
【０３２７】
また、スルー表示とクイックレビュー表示を行うそれぞれ専用の画像表示部を備える構成として、それらの表示部のON/OFFを画像表示ON/OFFスイッチ及びクイックレビューON/OFFスイッチの設定に応じて行う構成としても構わない。この場合も、レンズユニット３００が外された際に、スルー表示を行う画像表示部に対して各実施形態で説明した様な処理を行えば、画像表示部２８に不要な画像が表示されることを防止する機能を備えることが出来る。
【０３２８】
また、画像処理装置１００に複数のレンズユニット３００が着脱可能な構成であっても勿論問題ない。その場合は、画像表示部２８をOFFする代わりに、外れていない他のレンズユニットを用いて画像表示部２８に表示するように切り替える構成としても良い。
【０３２９】
また、画像処理装置１００内に撮像素子１４を遮蔽する機能を持つバリアやシャッター、露出制御用の絞りやシャッター、NDフィルター等を備え、レンズユニット３００が外された際に、撮像素子１４に外光等の不要な光線が直接入射することを防止する構成としても勿論問題ない。
【０３３０】
また、第３の実施形態においては、スルー表示動作中にレンズユニット３００が外されようとした場合に、画像表示部２８をフリーズ表示状態とすることにより、レンズが外される直前の画像を画像表示部２８に表示するとして説明したが、フリーズ状態以外の他の表示状態としても問題ない。例えば、固定色表示状態或いは記録済み画像を読み出して表示する表示状態、或いは予め用意した文字や画像からなる画面を表示する表示状態でも構わない。
【０３３１】
また、画像表示ON/OFFスイッチ６６とクイックレビューON/OFFスイッチ６８を備えない構成であっても、或いは、画像表示ON/OFFスイッチ６６とクイックレビューON/OFFスイッチ６８の何れかを備えない構成であっても、勿論問題ない。
【０３３２】
なお、記録媒体２００及び２１０は、PCMCIAカードやコンパクトフラッシュ等のメモリカード、ハードディスク等だけでなく、マイクロDAT、光磁気ディスク、CD-RやCD-WR等の光ディスク、DVD等の相変化型光ディスク等で構成されていても勿論問題無い。
【０３３３】
また、記録媒体２００及び２１０がメモリカードとハードディスク等が一体となった複合媒体であっても勿論問題無い。さらに、その複合媒体から一部が着脱可能な構成としても勿論問題無い。
【０３３４】
また、実施形態の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【０３３５】
また、画像処理装置１００に記録媒体２００或いは２１０が、単数或いは複数の任意の個数接続可能な構成であっても構わない。
【０３３６】
また、画像処理装置１００に記録媒体２００及び２１０が装着する構成として説明したが、記録媒体は単数或いは複数の何れの組み合わせの構成であっても、勿論問題無い。
【０３３７】
【他の実施形態】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０３３８】
この場合、記憶媒体から読出されたプログラムコード自体が前述した実施形態の機能を実現することになり、そのプログラムコードを記憶した記憶媒体は本発明を構成することになる。
【０３３９】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０３４０】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０３４１】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０３４２】
【発明の効果】
以上説明したように、本発明によれば、撮影操作中に交換レンズが外された場合に、撮影前の画像を連続して撮像して表示しているため、レンズを通さずに撮像素子に直接入射した外光等の不要な光線をカラー液晶パネル等の電子ファインダーに連続して表示してしまうという問題が解決される。
【０３４３】
また、撮影中に交換レンズが外された状態で撮影した画像を再生表示した場合、レンズを通さずに撮像素子に直接入射した外光等の不要な光線を撮影した画像をカラー液晶パネル等の電子ファインダーに再生表示してしまうという問題が解決される。
【０３４４】
【図面の簡単な説明】
【図１】本発明の第１の実施形態の構成ブロック図である。
【図２】第１の実施形態の主ルーチンのフローチャートである。
【図３】第１の実施形態の主ルーチンのフローチャートである。
【図４】第１の実施形態の主ルーチンのフローチャートである。
【図５】第１の実施形態の測距・測光処理ルーチンのフローチャートである。
【図６】第１の実施形態の撮影処理ルーチンのフローチャートである。
【図７】第１の実施形態の表示画像処理ルーチンのフローチャートである。
【図８】第１の実施形態の圧縮処理ルーチンのフローチャートである。
【図９】第２の実施形態の主ルーチンのフローチャートである。
【図１０】第２の実施形態の主ルーチンのフローチャートである。
【図１１】第２の実施形態の主ルーチンのフローチャートである。
【図１２】本発明の第３の実施形態の構成ブロック図である。
【図１３】第３の実施形態の主ルーチンのフローチャートである。
【図１４】第３の実施形態の主ルーチンのフローチャートである。
【図１５】第３の実施形態の主ルーチンのフローチャートである。
【符号の説明】
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４８  フラッシュ
５０  システム制御回路
５２  メモリ
５４  表示部
５６  不揮発性メモリ
６０  モードダイアルスイッチ
６２  シャッタースイッチSW1
６４  シャッタースイッチSW2
６６  画像表示ON/OFFスイッチ
６８  クイックレビューON/OFFスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダ
１０６  レンズマウント
１１０  通信手段
１１２  コネクタ（またはアンテナ）
１２０  インタフェース
１２２  コネクタ
１２４  レンズ着脱検知手段
１２６  レンズ着脱スイッチ
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  シャッター
３２０  インタフェース
３２２  コネクタ
３４０  露光制御部
３４２  測距制御部
３４４  ズーム制御部
３５０レンズシステム制御回路
【図１】
0004146940.tif 000002
【図２】
0004146940.tif 000003
【図３】
0004146940.tif 000004
【図４】
0004146940.tif 000005
【図５】
0004146940.tif 000006
【図６】
0004146940.tif 000007
【図７】
0004146940.tif 000008
【図８】
0004146940.tif 000009
【図９】
0004146940.tif 000010
【図１０】
0004146940.tif 000011
【図１１】
0004146940.tif 000012
【図１２】
0004146940.tif 000013
【図１３】
0004146940.tif 000014
【図１４】
0004146940.tif 000015
【図１５】
0004146940.tif 000016